(57)【要約】【課題】宅配業者が提供する各種商品や各種サービスを宅配中の宅配バイクを媒体として不特定多数のユーザーに伝えることができるＬＥＤを利用した画像表示パネルを提供する。【解決手段】ＬＥＤを利用した画像表示パネル１０は、所定面積を有して一方の面の側が公道を走行する宅配バイクの所定の箇所に取り付けられた支持プレート２５と、可撓性を有して一方の面が支持プレート２５の他方の面に取り付けられた所定面積のフレキシブル基板２６と、フレキシブル基板２６の他方の面に設置されて所定パターンの画素を構成する複数のＬＥＤ素子２７とを備え、それらＬＥＤ素子２７を利用し、所定の画像を動画または静止画として宅配バイクの外側に向かって表示する。【選択図】図１
2018155824.tif 000002
【特許請求の範囲】
【請求項１】
所定面積を有して一方の面の側が公道を走行する車両の所定の箇所に取り付けられた支持プレートと、可撓性を有して一方の面が前記支持プレートの他方の面に取り付けられた所定面積のフレキシブル基板と、前記フレキシブル基板の他方の面に設置されて所定パターンの画素を構成する複数のＬＥＤ素子とを備え、それらＬＥＤ素子を利用し、所定の画像を動画または静止画として前記車両の外側に向かって表示するＬＥＤを利用した画像表示パネル。
【請求項２】
前記車両が、飲食物の給仕宅配または貨物の集配送に使用する宅配バイクまたは宅配車であり、前記支持プレートの一方の面の側が、前記宅配バイクまたは前記宅配車の荷台に設置されて前記飲食物または前記貨物を収容する所定容積の運搬ボックスに取り付けられ、前記画像表示パネルが、前記宅配バイクまたは前記宅配車の宅配中にそれらＬＥＤ素子を利用して所定の動画または静止画を前記運搬ボックスの外側に向かって表示する請求項１に記載のＬＥＤを利用した画像表示パネル。
【請求項３】
前記支持プレートの一方の面の側が、前記運搬ボックスの後面と一方の側面と他方の側面とのうちの少なくとも該後面に取り付けられている請求項２に記載のＬＥＤを利用した画像表示パネル。
【請求項４】
前記車両が、飲食物の給仕宅配または貨物の集配送に使用する宅配バイクまたは宅配車であり、前記支持プレートの一方の面の側が、前記宅配バイクまたは前記宅配車に設置されたルーフシールドのうちの運転席の後ろに位置するフレームに取り付けられ、前記画像表示パネルが、前記宅配バイクまたは前記宅配車の宅配中にそれらＬＥＤ素子を利用して所定の動画または静止画を前記フレームの後方に向かって表示する請求項１に記載のＬＥＤを利用した画像表示パネル。
【請求項５】
飲食物の給仕宅配または貨物の集配送に使用する宅配バイクまたは宅配車において、
前記宅配バイクまたは前記宅配車が、その荷台に設置されて前記飲食物または前記貨物を収容する所定容積の運搬ボックスに取り付けられた画像表示パネルを有し、前記画像表示パネルが、所定面積を有して一方の面の側が前記運搬ボックスの所定の箇所に取り付けられた支持プレートと、可撓性を有して一方の面が前記支持プレートの他方の面に取り付けられた所定面積のフレキシブル基板と、前記フレキシブル基板の他方の面に設置されて所定パターンの画素を構成する複数のＬＥＤ素子とから形成され、前記画像表示パネルが、それらＬＥＤ素子を利用し、前記宅配バイクまたは前記宅配車による宅配中に所定の画像を動画または静止画として前記運搬ボックスの外側に向かって表示することを特徴とする宅配バイクまたは宅配車。
【請求項６】
前記宅配バイクまたは前記宅配車では、前記支持プレートの一方の面の側が前記運搬ボックスの後面と一方の側面と他方の側面とのうちの少なくとも該後面に取り付けられている請求項５に記載の宅配バイクまたは宅配車。
【請求項７】
飲食物の給仕宅配または貨物の集配送に使用する宅配バイクまたは宅配車において、
前記宅配バイクまたは前記宅配車が、それに設置されたルーフシールドのうちの運転席の後ろに位置するフレームに取り付けられた画像表示パネルを有し、前記画像表示パネルが、所定面積を有して一方の面の側が前記フレームに取り付けられた支持プレートと、可撓性を有して一方の面が前記支持プレートの他方の面に取り付けられた所定面積のフレキシブル基板と、前記フレキシブル基板の他方の面に設置されて所定パターンの画素を構成する複数のＬＥＤ素子とから形成され、前記画像表示パネルが、それらＬＥＤ素子を利用し、前記宅配バイクまたは前記宅配車による宅配中に所定の画像を動画または静止画として前記フレームの後方に向かって表示することを特徴とする宅配バイクまたは宅配車。
【請求項８】
前記宅配バイクまたは前記宅配車が、各種複数の前記画像を記憶しまたは各種複数の前記画像を受信するコントローラを含み、前記画像表示パネルが、前記コントローラに記憶されたそれら画像のうちの所定の画像を表示し、または、前記コントローラが受信した所定の画像を表示する請求項５ないし請求項７いずれかに記載の宅配バイクまたは宅配車。
【請求項９】
複数台の前記宅配バイクまたは複数台の前記宅配車が、同一の時間帯に飲食物の給仕宅配または貨物の集配送を行い、前記複数台の宅配バイクまたは前記複数台の宅配車に取り付けられた前記画像表示パネルが、それら宅配バイクまたはそれら宅配車による宅配中に、前記コントローラが受信した同一の画像を略同時に表示する請求項８に記載の宅配バイクまたは宅配車。
【発明の詳細な説明】
【技術分野】
【０００１】
本発明は、所定の画像を動画または静止画として表示するＬＥＤを利用した画像表示パネルに関するとともに、所定の画像を動画または静止画として表示する画像表示パネルを備えた宅配バイクまたは宅配車に関する。
【背景技術】
【０００２】
複数の画素に対応する複数のＬＥＤ素子を所定のパターンに配置して所定の画像を表示するＬＥＤディスプレイと、各ＬＥＤ素子から一定の距離を保ちまたは密着して配置された光を拡散する機能を有する板状またはフィルム状の光学部材Ａと、ＬＥＤ素子と光学部材Ａとの間に配置されてＬＥＤ素子および光学部材Ａの双方に接する光透過性を有する光学部材Ｂとを有するＬＥＤディスプレイ装置が開示されている（特許文献１参照）。このＬＥＤディスプレイ装置は、光を拡散する板状またはフィルム状の光学部材ＡをＬＥＤ素子から一定の距離を保ちまたは密着して配置することで、ＬＥＤ素子の光が点から面に変化するから、点光源が識別されず、連続的な自然な画像として認識することができるとともに、再撮影においてモアレ現象の発生を防止することができる。
【先行技術文献】
【特許文献】
【０００３】
【特許文献１】特開２０１４−２０２８１６号公報
【発明の概要】
【発明が解決しようとする課題】
【０００４】
前記特許文献１に開示のＬＥＤディスプレイ装置は、それを床や台の上に置き、その状態で所定の画像を表示するが、公道を走行する車両の所定の箇所にＬＥＤディスプレイ装置を設置することはなく、ＬＥＤディスプレイ装置を利用して所定の動画または静止画を車両の外側に向かって表示することはない。なお、３輪の宅配バイクや一人乗りの宅配車を利用して飲食物の給仕宅配や貨物の集配送が行われている。宅配バイクや宅配車を使って飲食物を配達する宅配業者や宅配バイクや宅配車を使って貨物を配達する宅配業者は、ユーザーに各種商品や各種サービスを提供しているが、それら商品やそれらサービスの各種情報は各宅配業者が配るチラシ（折り込みチラシを含む）や各宅配業者のホームページから確認することができる。しかし、宅配バイクや宅配車による飲食物や貨物の宅配中に各宅配業者が提供する商品やサービスをその宅配バイクや宅配車を利用して伝達することはなく、商品やサービスの各種情報を宅配バイクや宅配車から不特定多数のユーザーに伝えることができず、各ユーザーが宅配中の宅配バイクや宅配車を媒体として各宅配業者が提供する商品やサービスを知ることはできない。
【０００５】
本発明の目的は、宅配業者が提供する各種商品や各種サービスを宅配バイクや宅配車の車両を媒体として不特定多数のユーザーに伝えることができ、宅配中の宅配バイクや宅配車の車両を通じて各宅配業者が提供する商品やサービスを各ユーザーが知ることができるＬＥＤを利用した画像表示パネルを提供することにある。本発明の他の目的は、宅配業者が提供する各種商品や各種サービスを宅配中に不特定多数のユーザーに伝えることができ、各宅配業者が提供する商品やサービスを各ユーザーが知ることができる宅配バイクまたは宅配車を提供することにある。
【課題を解決するための手段】
【０００６】
前記課題を解決するための本発明に係るＬＥＤを利用した画像表示パネルの特徴は、所定面積を有して一方の面の側が公道を走行する車両の所定の箇所に取り付けられた支持プレートと、可撓性を有して一方の面が支持プレートの他方の面に取り付けられた所定面積のフレキシブル基板と、フレキシブル基板の他方の面に設置されて所定パターンの画素を構成する複数のＬＥＤ素子とを備え、それらＬＥＤ素子を利用し、所定の画像を動画または静止画として車両の外側に向かって表示することにある。
【０００７】
本発明のＬＥＤを利用した画像表示パネルの一例としては、車両が、飲食物の給仕宅配または貨物の集配送に使用する宅配バイクまたは宅配車であり、支持プレートの一方の面の側が、宅配バイクまたは宅配車の荷台に設置されて飲食物または貨物を収容する所定容積の運搬ボックスに取り付けられ、画像表示パネルが、宅配バイクまたは宅配車の宅配中にそれらＬＥＤ素子を利用して所定の動画または静止画を運搬ボックスの外側に向かって表示する。
【０００８】
本発明のＬＥＤを利用した画像表示パネルの他の一例としては、支持プレートの一方の面の側が、運搬ボックスの後面と一方の側面と他方の側面とのうちの少なくとも後面に取り付けられている。
【０００９】
本発明のＬＥＤを利用した画像表示パネルの他の一例としては、車両が、飲食物の給仕宅配または貨物の集配送に使用する宅配バイクまたは宅配車であり、支持プレートの一方の面の側が、宅配バイクまたは宅配車に設置されたルーフシールドのうちの運転席の後ろに位置するフレームに取り付けられ、画像表示パネルが、宅配バイクまたは宅配車の宅配中にそれらＬＥＤ素子を利用して所定の動画または静止画をフレームの後方に向かって表示する。
【００１０】
前記課題を解決するための本発明に係る宅配バイクまたは宅配車の第１の特徴は、飲食物の給仕宅配または貨物の集配送に使用する宅配バイクまたは宅配車が、その荷台に設置されて飲食物または貨物を収容する所定容積の運搬ボックスに取り付けられた画像表示パネルを有し、画像表示パネルが、所定面積を有して一方の面の側が運搬ボックスの所定の箇所に取り付けられた支持プレートと、可撓性を有して一方の面が支持プレートの他方の面に取り付けられた所定面積のフレキシブル基板と、フレキシブル基板の他方の面に設置されて所定パターンの画素を構成する複数のＬＥＤ素子とから形成され、画像表示パネルが、それらＬＥＤ素子を利用し、宅配バイクまたは宅配車による宅配中に所定の画像を動画または静止画として運搬ボックスの外側に向かって表示することにある。
【００１１】
前記第１の特徴を有する本発明の宅配バイクまたは宅配車の一例として、宅配バイクまたは宅配車では、支持プレートの一方の面の側が運搬ボックスの後面と一方の側面と他方の側面とのうちの少なくとも後面に取り付けられている。
【００１２】
前記課題を解決するための本発明に係る宅配バイクまたは宅配車の第２の特徴は、飲食物の給仕宅配または貨物の集配送に使用する宅配バイクまたは宅配車が、それに設置されたルーフシールドのうちの運転席の後ろに位置するフレームに取り付けられた画像表示パネルを有し、画像表示パネルが、所定面積を有して一方の面の側がフレームに取り付けられた支持プレートと、可撓性を有して一方の面が支持プレートの他方の面に取り付けられた所定面積のフレキシブル基板と、フレキシブル基板の他方の面に設置されて所定パターンの画素を構成する複数のＬＥＤ素子とから形成され、画像表示パネルが、それらＬＥＤ素子を利用し、宅配バイクまたは宅配車による宅配中に所定の画像を動画または静止画としてフレームの後方に向かって表示することにある
【００１３】
前記第１および第２の特徴を有する本発明の宅配バイクまたは宅配車の一例としては、宅配バイクまたは前記宅配車が、各種複数の画像を記憶しまたは各種複数の画像を受信するコントローラを含み、画像表示パネルが、コントローラに記憶されたそれら画像のうちの所定の画像を表示し、または、コントローラが受信した所定の画像を表示する。
【００１４】
前記第１および第２の特徴を有する本発明の宅配バイクまたは宅配車の他の一例としては、複数台の宅配バイクまたは複数台の宅配車が、同一の時間帯に飲食物の給仕宅配または貨物の集配送を行い、複数台の宅配バイクまたは複数台の宅配車に取り付けられた画像表示パネルが、それら宅配バイクまたはそれら宅配車による宅配中に、コントローラが受信した同一の画像を略同時に表示する。
【発明の効果】
【００１５】
本発明に係るＬＥＤを利用した画像表示パネルによれば、可撓性を有する所定面積のフレキシブル基板の他方の面に配置されて所定パターンの画素を構成する複数のＬＥＤ素子を利用し、所定の画像を動画または静止画として車両の外側に向かって表示するから、公道を走行する車両を媒体として商品やサービスの各種情報を不特定多数のユーザーに伝えることができ、各種商品や各種サービスを車両を通じて各ユーザーが知ることができる。画像表示パネルは、それを取り付けた車両を利用して各種商品や各種サービスを伝達することができるから、車両の所定の箇所に取り付ける宣伝用パネル板として使用することができ、商品やサービスの各種情報を伝える伝達媒体として利用することができる。
【００１６】
車両が飲食物の給仕宅配または貨物の集配送に使用する宅配バイクまたは宅配車であり、支持プレートの一方の面の側が宅配バイクまたは宅配車の荷台に設置されて飲食物または貨物を収容する所定容積の運搬ボックス（デリバリーボックス）に取り付けられ、画像表示パネルが宅配バイクまたは宅配車の宅配中にそれらＬＥＤ素子を利用して所定の動画または静止画を運搬ボックスの外側に向かって表示する画像表示パネルは、宅配バイクまたは宅配車の荷台に設置された運搬ボックスに取り付けられた画像表示パネルのＬＥＤ素子を利用して所定の動画または静止画を運搬ボックスの外側に向かって表示するから、宅配業者が提供する各種商品や各種サービスを宅配バイクや宅配車を媒体として不特定多数のユーザーに伝えることができ、宅配中の宅配バイクや宅配車を通じて各宅配業者が提供する商品やサービスを各ユーザーが知ることができる。画像表示パネルは、それを運搬ボックスに取り付けた宅配バイクまたは宅配車を利用して各種商品や各種サービスを伝達することができるから、宅配バイクまたは宅配車の運搬ボックスに取り付ける宣伝用パネル板として使用することができ、商品やサービスの各種情報を伝える伝達媒体として利用することができる。
【００１７】
支持プレートの一方の面の側が運搬ボックスの後面と一方の側面と他方の側面とのうちの少なくとも後面に取り付けられている画像表示パネルは、宅配バイクまたは宅配車の荷台に設置された運搬ボックスの少なくとも後面に取り付けられた画像表示パネルのＬＥＤ素子を利用して所定の動画または静止画を運搬ボックスの外側（運搬ボックスの側方と後方とのうちの少なくとも後方）に向かって表示するから、宅配業者が提供する各種商品や各種サービスを宅配バイクや宅配車を媒体として不特定多数のユーザーに伝えることができ、宅配中の宅配バイクや宅配車を通じて各宅配業者が提供する商品やサービスを各ユーザーが知ることができる。
【００１８】
車両が飲食物の給仕宅配または貨物の集配送に使用する宅配バイクまたは宅配車であり、支持プレートの一方の面の側が宅配バイクまたは宅配車に設置されたルーフシールドのうちの運転席の後ろに位置するフレームに取り付けられ、画像表示パネルが宅配バイクまたは宅配車の宅配中にそれらＬＥＤ素子を利用して所定の動画または静止画をフレームの後方に向かって表示する画像表示パネルは、宅配バイクまたは宅配車のルーフシールドのフレームに取り付けられた画像表示パネルのＬＥＤ素子を利用して所定の動画または静止画をフレームの後方に向かって表示するから、宅配業者が提供する各種商品や各種サービスを宅配バイクや宅配車を媒体として不特定多数のユーザーに伝えることができ、宅配中の宅配バイクや宅配車を通じて各宅配業者が提供する商品やサービスを各ユーザーが知ることができる。画像表示パネルは、それをルーフシールドのフレームに取り付けた宅配バイクまたは宅配車を利用して各種商品や各種サービスを伝達することができるから、宅配バイクまたは宅配車のルーフシールドのフレームに取り付ける宣伝用パネル板として使用することができ、商品やサービスの各種情報を伝える伝達媒体として利用することができる。
【００１９】
第１の特徴を有する宅配バイクまたは宅配車によれば、飲食物または貨物を収容する運搬ボックスに取り付けられた画像表示パネルのそれらＬＥＤ素子を利用し、宅配中に所定の画像を動画または静止画として運搬ボックスの外側に向かって表示するから、宅配業者が提供する各種商品や各種サービスを宅配バイクや宅配車を媒体として不特定多数のユーザーに伝えることができ、宅配中の宅配バイクや宅配車を通じて各宅配業者が提供する商品やサービスを各ユーザーが知ることができる。宅配バイクまたは宅配車は、運搬ボックスに取り付けられた画像表示パネルを利用して各種商品や各種サービスを伝達することができるから、宅配バイクまたは宅配車を宅配業者が提供する商品やサービスの各種情報を伝える伝達媒体として利用することができる。
【００２０】
支持プレートの一方の面の側が運搬ボックスの後面と一方の側面と他方の側面とのうちの少なくとも後面に取り付けられている宅配バイクまたは宅配車は、運搬ボックスの少なくとも後面に取り付けられた画像表示パネルのＬＥＤ素子を利用して所定の動画または静止画を運搬ボックスの外側（運搬ボックスの側方と後方とのうちの少なくとも後方）に向かって表示するから、宅配業者が提供する各種商品や各種サービスを宅配バイクや宅配車を媒体として不特定多数のユーザーに伝えることができ、宅配中の宅配バイクや宅配車を通じて各宅配業者が提供する商品やサービスを各ユーザーが知ることができる。
【００２１】
第２の特徴を有する宅配バイクまたは宅配車によれば、ルーフシールドのうちの運転席の後ろに位置するフレームに取り付けられた画像表示パネルのそれらＬＥＤ素子を利用し、宅配中に所定の画像を動画または静止画としてフレームの後方に向かって表示するから、宅配業者が提供する各種商品や各種サービスを宅配バイクや宅配車を媒体として不特定多数のユーザーに伝えることができ、宅配中の宅配バイクや宅配車を通じて各宅配業者が提供する商品やサービスを各ユーザーが知ることができる。宅配バイクまたは宅配車は、ルーフシールドのフレームに取り付けられた画像表示パネルを利用して各種商品や各種サービスを伝達することができるから、宅配バイクまたは宅配車を宅配業者が提供する商品やサービスの各種情報を伝える伝達媒体として利用することができる。
【００２２】
各種複数の画像を記憶しまたは各種複数の画像を受信するコントローラを含み、画像表示パネルがコントローラに記憶されたそれら画像のうちの所定の画像を表示し、または、コントローラが受信した所定の画像を表示する宅配バイクまたは宅配車は、運搬ボックスやルーフシールドのフレームに取り付けられた画像表示パネルのそれらＬＥＤ素子を利用し、コントローラに記憶された画像やコントローラが受信した画像をその宅配中に表示するから、宅配業者が提供する各種商品や各種サービスを宅配バイクや宅配車を媒体として不特定多数のユーザーに伝えることができ、宅配中の宅配バイクや宅配車を通じて各宅配業者が提供する商品やサービスを各ユーザーが知ることができる。宅配バイクまたは宅配車は、コントローラに記憶されたそれら画像のうちの所定の画像を表示し、または、コントローラが受信した所定の画像を表示するから、宅配業者が提供する商品やサービスの各種情報を伝達する所定の画像をタイムリーに表示することができ、宅配業者が提供を希望する商品やサービスをユーザーに確実に伝えることができる。
【００２３】
複数台の宅配バイクまたは複数台の宅配車が同一の時間帯に飲食物の給仕宅配または貨物の集配送を行い、複数台の宅配バイクまたは複数台の宅配車に取り付けられた画像表示パネルがそれら宅配バイクまたはそれら宅配車による宅配中にコントローラが受信した同一の画像を略同時に表示する宅配バイクまたは宅配車は、複数台の宅配バイクや宅配車が同一の時間帯に所定の地域で宅配を行いつつコントローラが受信した同一の画像を略同時に表示することで、宅配業者が提供する商品やサービスに関する同一内容の情報を複数台の宅配バイクや宅配車を媒体として不特定多数のユーザーに伝えることができ、大きな宣伝効果を得ることができる。
【図面の簡単な説明】
【００２４】
【図１】一例として示す画像表示パネルの斜視図。
【図２】一例として示す宅配バイクの斜視図。
【図３】ＬＥＤディスプレイと支持プレートと紫外線遮蔽フィルムとを分離して示すそれらの斜視図。
【図４】図１のＩ−Ｉ線端面図。
【図５】他の一例として示す宅配バイクの斜視図。
【図６】他の一例として示す宅配バイクの斜視図。
【図７】一例として示す宅配車の斜視図。
【発明を実施するための形態】
【００２５】
一例として示す画像表示パネル１０の斜視図である図１等の添付の図面を参照し、本発明に係るＬＥＤを利用した画像表示パネルや宅配バイク、宅配車の詳細を説明すると、以下のとおりである。なお、図２は、一例として示す宅配バイク１１Ａの斜視図であり、図３は、ＬＥＤディスプレイ２４と支持プレート２５と紫外線遮蔽フィルム３０とを分離して示すそれらの斜視図である。図４は、図１のＩ−Ｉ線端面図である。図１では、縦方向を矢印Ａで示し、横方向を矢印Ｂで示す。図２では、ＬＥＤディスプレイ２４に表示される画像の図示を省略している。
【００２６】
宅配バイク１１Ａ（公道を走行する車両）（宅配バイク１１Ｂ，１１Ｃを含む）は、飲食物の給仕宅配を行う宅配業者または荷主の戸口から届け先の戸口まで貨物の集配送を行う宅配業者が保有（レンタルを含む）し、または、リース業者から宅配業者にリースされている。宅配バイク１１Ａ（宅配バイク１１Ｂ，１１Ｃを含む）は、一人乗りの３輪車であり、エンジン（内燃機関）によって走行し、または、モーター（電動バイク）によって走行し、飲食物の配達に使用され、または、貨物（商品）の配達に使用される。
【００２７】
宅配バイク１１Ａ（宅配バイク１１Ｂ，１１Ｃを含む）には、運転席を包被して雨天時の走行を可能にするルーフシールド１２（大型ルーフ）が取り付けられている。宅配バイク１１Ａ（宅配バイク１１Ｂ，１１Ｃを含む）のリアキャリア１３（荷台）には、飲食物または貨物を収容する所定容積の運搬ボックス１４（デリバリーボックス）が据え付けられている。
【００２８】
運搬ボックス１４（デリバリーボックス）は、頂壁１５および底壁１６と、前後壁１７，１８および両側壁１９，２０とを有する六面体の箱であり、その後壁１８が開閉可能な蓋（ハッチ）になっている。運搬ボックス１４には、画像表示パネル１０が取り付けられている。なお、運搬ボックス１４の形状を図示のそれに限定するものではなく、宅配に使用されるあらゆる形状の運搬ボックス１４に画像表示パネル１０を取り付けることができる。
【００２９】
画像表示パネル１０は、運搬ボックス１４の一方の側面２１および他方の側面２２（両側壁１９，２０）と後面２３（後壁１８）とに取り付けられ、宅配バイク１１Ａの宅配中に所定の画像を動画または静止画として宅配バイク１１Ａの外側（側方および後方）に向かって表示する。画像表示パネル１０は、運搬ボックス１４の一方の側面２１の中央領域と他方の側面２２の中央領域と後面２３の中央領域とに配置されているが、一方の側面２１の全域と他方の側面２２の全域と後面２３の全域とに配置されていてもよく、一方の側面２１の上半分（または下半分）と他方の側面２２の上半分（または下半分）と後面２３の上半分（または下半分）とに配置されていてもよい。
【００３０】
画像表示パネル１０は、高輝度ＬＥＤディスプレイ２４（自発光型ディスプレイ）と、所定面積の支持プレート２５とから形成されている。ＬＥＤディスプレイ２４は、所定面積のフレキシブル基板２６と、複数のＬＥＤ素子２７（ＬＥＤチップ）と、電子制御モジュール（図示せず）とから形成されている。フレキシブル基板２６は、熱可塑性合成樹脂から作られた可撓性を有する所定面積のシート（プラスチックシート）であり、一方の面２８（裏面）と他方の面２９（表面）とを有する。フレキシブル基板２６は、所定の曲率半径で円弧状に湾曲させることができるとともに、所定の角度で曲折する（折り曲げる）ことができる。フレキシブル基板２６は、その厚み寸法が０．２〜１ｍｍの範囲にある。フレキシブル基板２６は、その平面形状が四角形に成形されているが、四角形のみならず、菱形や円形、楕円形等のあらゆる形状に成形することができる。
【００３１】
それらＬＥＤ素子２７は、フレキシブル基板２６の他方の面２９（表面）に配置され、他方の面２９（表面）において縦方向へ等間隔離間して整然と並んでいるとともに、横方向へ等間隔離間して整然と並んでいる。それらＬＥＤ素子２７は、縦横方向へ並んだ状態でフレキシブル基板２６の他方の面２９に設置・固定（マウント）されている。それらＬＥＤ素子２７は、それらが電気的に接続されているとともに、電子制御モジュールに電気的に接続されている。それらＬＥＤ素子２７は、所定の数毎（フレキシブル基板２６の所定の面積毎）にブロック化され、第１〜第ｎブロックを形成している。それらＬＥＤ素子２７は、フレキシブル基板２６の他方の面２９において所定パターンの画素を構成している。
【００３２】
フレキシブル基板２６の他方の面２９（表面）の全域には所定面積の透明な紫外線遮蔽フィルム３０が設置され、それらＬＥＤ素子２７が紫外線遮蔽フィルム３０に被覆されている。紫外線遮蔽フィルム３０は、熱可塑性合成樹脂から作られた可撓性を有する透明なフィルム（プラスチックフィルム）であり、フレキシブル基板２６と同形同大に成形されている。紫外線遮蔽フィルム３０は、所定の接合手段（接着剤や粘着テープ）（図示せず）によってフレキシブル基板３０の他方の面２９に貼着されている。紫外線遮蔽フィルム３０は、紫外線を遮蔽し、紫外線のそれらＬＥＤ素子２７への到達を阻止する。
【００３３】
電子制御モジュールは、コントローラ（図示せず）に接続され、それらＬＥＤ素子２７を第１〜第ｎブロック毎に一纏めに制御する。電子制御モジュールは、それらＬＥＤ素子２７の発光色を第１〜第ｎブロック毎に調整しつつ発光色を第１〜第ｎブロック毎に時系列に変化させ、それらＬＥＤ素子２７の輝度を第１〜第ｎブロック毎に調整しつつ輝度を第１〜第ｎブロック毎に時系列に変化させる。ＬＥＤディスプレイ２４では、光の３原色（Ｒ・Ｇ・Ｂ）に発光するそれらＬＥＤ素子２７がフレキシブル基板２６にマウントされることで、ＬＥＤ素子２７に各種複数の色彩（可視光）を表示（発光）させることができ、フルカラー動画（白黒を含む）またはフルカラー静止画（白黒を含む）を連続的または間欠的に表示することができる。
【００３４】
コントローラは、中央処理部（ＣＰＵまたはＭＰＵ）とメモリ（メインメモリおよびキャッシュメモリ）とを有して独立したオペレーティングシステム（ＯＳ）によって動作するコンピュータであり、大容量記憶デバイス（大容量ハードディスク等）を内蔵している。コントローラは、宅配バイク１１Ａの所定の箇所に設置されている。コントローラには、宅配バイク１１Ａのルーフシールド１２に設置されたアンテナ（図示せず）が接続され、画像表示パネルＯＮ／ＯＦＦスイッチ（図示せず）が接続されているとともに、画像表示パネル１０に表示される画像を選択するタッチパネル（図示せず）が接続されている。
【００３５】
画像表示パネルＯＮ／ＯＦＦスイッチやタッチパネルは、宅配バイク１１Ａのハンドルに設置されている。ＬＥＤ素子２７や電子制御モジュール、コントローラ、タッチパネルは、宅配バイク１１Ａ（宅配バイク１１Ｂ，１１Ｃを含む）のバッテリーを電源として駆動する場合、または、宅配バイク１１Ａ（宅配バイク１１Ｂ，１１Ｃを含む）のバッテリーとは別にバイク１１Ａに搭載された専用電源によって駆動する場合がある。
【００３６】
コントローラの記憶デバイスには、飲食物の給仕宅配を行う宅配業者や貨物の集配送を行う宅配業者が提供する商品やサービスの各種情報（電子データ）を示す各種複数の画像（動画または静止画）が格納（記憶）されている。コントローラは、記憶デバイスに格納された画像をＬＥＤディスプレイ２４の電子制御モジュールに送信する。アンテナは、宅配業者が提供する商品やサービスの各種情報（電子データ）を示す各種複数の画像（動画または静止画）を宅配業者の管理コンピュータ（図示せず）（管理システム）から受信し、その画像をコントローラに転送（送信）する。コントローラは、アンテナから転送された画像をＬＥＤディスプレイ２４の電子制御モジュールに送信する。管理コンピュータの記憶デバイスには、宅配業者が提供する商品やサービスの各種情報（電子データ）を示す各種複数の画像（動画または静止画）が格納（記憶）されている。
【００３７】
支持プレート２５は、熱可塑性合成樹脂から作られたプラスチック板であり、アクリル板が使用されているが、アクリル板の他に、塩化ビニール板やポリカーボネート板、ＰＥＴ板を使用することもできる。支持プレート２５は、その厚み寸法が５〜３０ｍｍの範囲にある。支持プレート２５の上下端部３５，３６および両側縁部３７（周縁部）には、それら縁部３５〜３７を囲繞するフレーム３１が設置されている。支持プレート２５は、その一方の面３２（裏面）（一方の面３２の側）が運搬ボックス１４の両側面２１，２２（両側壁１９，２０）および後面２３（後壁１８）（車両の所定の箇所）に当接した状態で、所定の固定手段（固定ボルトや固定釘、接着剤等）によって運搬ボックス１４の両側面２１，２２（両側壁１９，２０）および後面２３（後壁１８）に設置・固定されている。
【００３８】
支持プレート２５の他方の面３３（表面）には、フレキシブル基板２６が配置されている。フレキシブル基板２６は、その一方の面２８（裏面）が所定の接合手段（固定金具や接着剤、粘着テープ等）（図示せず）によって支持プレート２５の他方の面３３に取り付けられている。フレキシブル基板２６の電子制御モジュールを取り付けた上端部３８は、支持プレート２５の上端部３５において折り曲げられ、支持プレート２５の上端面に位置している。
【００３９】
なお、運搬ボックス１４の両側面２１，２２（両側壁１９，２０）および後面２３（後壁１８）が所定の曲率半径で弧を画く場合、支持プレート２５が運搬ボックス１４の両側面２１，２２および後面２３の曲率半径にあわせて所定の曲率半径で弧を画くとともに、フレキシブル基板２６が支持プレート２５の曲率にあわせて所定の曲率半径で弧を画き、フレキシブル基２６板が弧を画いた状態で支持プレート２５の他方の面３３に取り付けられる。また、運搬ボックス１４の両側面２１，２２（両側壁１９，２０）および後面２３（後壁１８）が所定の角度で曲折する（折れ曲がる）場合、支持プレート２５が運搬ボックス１４の両側面２１，２２および後面２３の角度にあわせて所定の角度で曲折し（折れ曲がり）、フレキシブル基板２６が支持プレート２５の角度にあわせて所定の角度で曲折し（折れ曲がり）、フレキシブル基２６板が所定の角度で曲折した状態で支持プレート２５の他方の面３３に取り付けられる。
【００４０】
画像表示パネル１０では、コントローラの記憶デバイスに格納された画像（フルカラーの動画またはフルカラーの静止画）がコントローラから電子制御モジュールに送信され、電子制御モジュールがそれらＬＥＤ素子２７の発光色を調整しつつそれらＬＥＤ素子２７の輝度を調整することで、所定の画像（フルカラーの動画またはフルカラーの静止画）がＬＥＤディスプレイ２４に表示される。また、管理コンピュータからアンテナが受信し、アンテナから転送された画像（フルカラーの動画またはフルカラーの静止画）がコントローラから電子制御モジュールに送信され、電子制御モジュールがそれらＬＥＤ素子２７の発光色を調整しつつそれらＬＥＤ素子２７の輝度を調整することで、所定の画像（フルカラーの動画またはフルカラーの静止画）がＬＥＤディスプレイ２４に表示される。画像は、画像表示パネル１０の他方の面（表面）に表示される。
【００４１】
宅配バイク１１Ａによって飲食物を配達し、または、貨物（商品）を配達する場合、運搬ボックス１４（デリバリーボックス）の内部に飲食物や貨物（商品）を収容し、バイク１１ＡのメインスイッチをＯＮにしてエンジンを起動させ、または、モーターを起動させる。次に、画像表示パネルＯＮ／ＯＦＦスイッチをＯＮにして画像表示パネル１０（ＬＥＤ素子２７、電子制御モジュール、コントローラ、タッチパネル）を起動させる。
【００４２】
宅配バイク１１Ａの画像表示パネル１０に画像を表示させる手順の一例を説明すると、以下のとおりである。画像表示パネル１０を起動させると、タッチパネル（ディスプレイ）には、コントローラの記憶デバイスに格納（記憶）された商品やサービスの各種情報（電子データ）を示す各種複数の画像の画像選択画面が表示される。画像選択画面において所定の画像（商品やサービスの各種情報を示すフルカラーの動画または商品やサービスの各種情報を示すフルカラーの静止画）を選択すると、選択された画像がコントローラから電子制御モジュールに送信され、電子制御モジュールがその画像を画像表示パネル１０のＬＥＤディスプレイ２４に表示する。タッチパネルには、画像表示パネル１０のＬＥＤディスプレイ２４に現在表示されている画像が表示される。画像表示パネル１０のＬＥＤディスプレイ２４に表示される画像はタッチパネルの画像選択画面によって何時でも自由に変更することができ、画像表示パネル１０のＬＥＤディスプレイ２４に表示する画像を変更することができる。
【００４３】
宅配バイク１１Ａの画像表示パネル１０に画像を表示させる手順の他の一例を説明すると、以下のとおりである。画像表示パネル１０を起動させると、コントローラは、アンテナを利用して宅配業者の管理コンピュータに画像（商品やサービスの各種情報を示すフルカラーの動画または商品やサービスの各種情報を示すフルカラーの静止画）の送信信号を送信する。送信信号を受信した管理コンピュータは、その記憶デバイスに格納された各種複数の画像をアンテナに送信する。管理コンピュータから画像を受信したアンテナはそれら画像をコントローラに転送し、コントローラがそれら画像をタッチパネル（ディスプレイ）に表示させる。タッチパネルに表示された画像から所定の画像を選択すると、選択された画像がコントローラから電子制御モジュールに送信され、電子制御モジュールがその画像を画像表示パネル１０のＬＥＤディスプレイ２４に表示する。タッチパネルには、画像表示パネル１０のＬＥＤディスプレイ２４に現在表示されている画像が表示される。画像表示パネル１０のＬＥＤディスプレイ２４に表示される画像はタッチパネルによって何時でも自由に変更することができ、画像表示パネル１０のＬＥＤディスプレイ２４に表示する画像を変更することができる。
【００４４】
宅配バイク１１Ａの画像表示パネル１０に画像を表示させる手順の他の一例を説明すると、以下のとおりである。画像表示パネル１０を起動させると、コントローラは、アンテナを利用して宅配業者の管理コンピュータに画像（商品やサービスの各種情報を示すフルカラーの動画または商品やサービスの各種情報を示すフルカラーの静止画）の送信信号を送信する。送信信号を受信した管理コンピュータは、その記憶デバイスに格納された画像をアンテナに送信する。管理コンピュータから画像を受信したアンテナはそれら画像をコントローラに転送し、コントローラがその画像を電子制御モジュールに送信する。電子制御モジュールは、コントローラからに送信された画像を画像表示パネル１０のＬＥＤディスプレイ２４に表示する。タッチパネルには、画像表示パネル１０のＬＥＤディスプレイ２４に現在表示されている画像が表示される。画像表示パネル１０のＬＥＤディスプレイ２４に表示される画像は管理コンピュータによって何時でも自由に変更することができ、変更した画像を管理コンピュータが随時アンテナに送信することで、画像表示パネル１０のＬＥＤディスプレイ２４に表示する画像を変更することができる。
【００４５】
宅配業者が提供する商品やサービスの各種情報を示すフルカラーの動画または宅配業者が提供する商品やサービスの各種情報を示すフルカラーの静止画である画像は、宅配バイク１１Ａによる飲食物や貨物の宅配中（走行中および停車中）に、運搬ボックス１４の両側面２１，２２（両側壁１９，２０）に取り付けられた画像表示パネル１０のＬＥＤディスプレイ２４から両側面２１，２２の側方に向かって表示されるとともに、運搬ボックス１４の後面２３（後壁１８）に取り付けられた画像表示パネル１０のＬＥＤディスプレイ２４から後面２３の後方に向かって表示される。宅配バイク１１Ａによる宅配中（走行中および停車中）において不特定多数のユーザーは、その宅配バイク１１Ａによって宅配を行う宅配業者が提供する商品やサービスの各種情報を運搬ボックス１４の両側面２１，２２（両側壁１９，２０）および後面２３（後壁１８）に取り付けられた画像表示パネル１０を介して見ることができる。
【００４６】
なお、運搬ボックス１４の両側面２１，２２（両側壁１９，２０）に取り付けられた画像表示パネル１０と運搬ボックス１４の後面２３（後壁１８）に取り付けられた画像表示パネル１０とにおいて同一内容の画像を表示することができるのみならず、運搬ボックス１４の一方の側面２１に取り付けられた画像表示パネル１０と他方の側面２２に取り付けられた画像表示パネル１０と運搬ボックス１４の後面２３に取り付けられた画像表示パネル１０とにおいてそれぞれ異なる内容の画像を表示することもできる。
【００４７】
画像表示パネル１０は、宅配バイク１１Ａによる飲食物や貨物の宅配中（走行中および停車中）に、それらＬＥＤ素子２７を利用して所定の動画または静止画を運搬ボックス１４の両側面２１，２２（両側壁１９，２０）から側方に向かって表示するとともに、運搬ボックス１４の後面２３（後壁１８）から後方に向かって表示するから、宅配業者が提供する商品やサービスの各種情報を宅配バイク１１Ａを媒体として不特定多数のユーザーに伝えることができ、宅配中の宅配バイク１１Ａを通じて各宅配業者が提供する商品やサービスを各ユーザーが知ることができる。
【００４８】
画像表示パネル１０は、それを運搬ボックス１４に取り付けた宅配バイク１１Ａを利用して各種商品や各種サービスを伝達することができるから、宅配バイク１１Ａの運搬ボックス１４に取り付ける宣伝用パネル板として使用することができ、商品やサービスの各種情報を伝える伝達媒体として利用することができる。画像が管理コンピュータからアンテナに送信され、コントローラから電子制御モジュールに送信された画像を画像表示パネル１０のＬＥＤディスプレイ２４に表示する場合は、宅配業者が提供する商品やサービスの各種情報を伝達する所定の画像をタイムリーに表示することができ、宅配業者が提供を希望する商品やサービスをユーザーに確実に伝えることができる。
【００４９】
宅配バイク１１Ａは、飲食物または貨物を収容する運搬ボックス１４に取り付けられた画像表示パネル１０のそれらＬＥＤ素子２７を利用し、バイク１１Ａを使用した飲食物や貨物の宅配中（走行中および停車中）に、所定の動画または静止画を運搬ボックス１４の両側面２１，２２（両側壁１９，２０）から側方に向かって表示するとともに、運搬ボックス１４の後面２３（後壁１８）から後方に向かって表示するから、宅配業者が提供する商品やサービスの各種情報を宅配バイク１１Ａを媒体として不特定多数のユーザーに伝えることができ、宅配中の宅配バイク１１Ａを通じて各宅配業者が提供する商品やサービスを各ユーザーが知ることができる。宅配バイク１１Ａは、運搬ボックス１４に取り付けられた画像表示パネル１０を利用して各種商品や各種サービスを伝達することができるから、宅配バイク１１Ａを宅配業者が提供する商品やサービスの各種情報を伝える伝達媒体として利用することができる。
【００５０】
図５は、他の一例として示す宅配バイク１１Ｂの斜視図である。図５では、ＬＥＤディスプレイ２４に表示される画像の図示を省略している。この宅配バイク１１Ｂ（公道を走行する車両）が図１のそれと異なるところは、画像表示パネル１０が運搬ボックス１４（デリバリーボックス）の後面２３（後壁１８）に取り付けられ、画像表示パネル１０が一方の側面２１および他方の側面２２（両側壁１９，２０）に取り付けられていない点にあり、その他の構成は、図１の宅配バイク１１Ａと同一であるから、図１の説明を援用するとともに、図１と同一の符号を付すことで、この宅配バイク１１Ｂのその他の構成の詳細な説明は省略する。なお、運搬ボックス１４に取り付けられた画像表示パネル１０は図１のそれと同一であるから、その詳細な説明は省略する。
【００５１】
画像表示パネル１０は、運搬ボックス１４の後面２３（後壁１８）に取り付けられ、宅配バイク１１Ｂの宅配中に所定の画像を動画または静止画として宅配バイク１１Ｂの外側（後方）に向かって表示する。画像表示パネル１０は、高輝度ＬＥＤディスプレイ２４（自発光型ディスプレイ）と、所定面積の支持プレート２５とから形成されている。ＬＥＤディスプレイ２４は、所定面積のフレキシブル基板２６と、複数のＬＥＤ素子２７（ＬＥＤチップ）と、電子制御モジュール（図示せず）とから形成されている。支持プレート２５やフレキシブル基板２６、ＬＥＤ素子２７、電子制御モジュールは、図１のそれらと同一である。それらＬＥＤ素子２７は、紫外線遮蔽フィルム３０に被覆されている。電子制御モジュールは、図１の画像表示パネル１０と同様のコントローラ（図示せず）に接続されている。
【００５２】
支持プレート２５は、その一方の面３２（裏面）（一方の面３２の側）が運搬ボックス１４の後面２３（後壁１８）（車両の所定の箇所）に当接した状態で、所定の固定手段（固定ボルトや固定釘、接着剤等）によって運搬ボックス１４の後面２３（後壁１８）に設置・固定されている。宅配バイク１１Ｂの画像表示パネル１０に画像を表示させる手順は、宅配バイク１１Ａの運搬ボックス１４の両側面２１，２２（両側壁１９，２０）と後面２３（後壁１８）とに取り付けられた画像表示パネル１０のそれらと同一である。運搬ボックス１４（デリバリーボックス）は、図１のそれと同一である。
【００５３】
宅配業者が提供する商品やサービスの各種情報を示すフルカラーの動画または宅配業者が提供する商品やサービスの各種情報を示すフルカラーの静止画である画像は、宅配バイク１１Ｂによる飲食物や貨物の宅配中（走行中および停車中）に、運搬ボックス１４の後面２３（後壁１８）に取り付けられた画像表示パネル１０のＬＥＤディスプレイ２４から後面２３の後方に向かって表示される。宅配バイク１１Ｂによる宅配中（走行中および停車中）において不特定多数のユーザーは、その宅配バイク１１Ｂによって宅配を行う宅配業者が提供する商品やサービスの各種情報を運搬ボックス１４の後面２３（後壁１８）に取り付けられた画像表示パネル１０を介して見ることができる。
【００５４】
画像表示パネル１０は、宅配バイク１１Ｂによる飲食物や貨物の宅配中（走行中および停車中）に、それらＬＥＤ素子２７を利用して所定の動画または静止画を運搬ボックス１４の後面２３（後壁１８）から後方に向かって表示するから、宅配業者が提供する商品やサービスの各種情報を宅配バイク１１Ｂを媒体として不特定多数のユーザーに伝えることができ、宅配中の宅配バイク１１Ｂを通じて各宅配業者が提供する商品  やサービスを各ユーザーが知ることができる。
【００５５】
宅配バイク１１Ｂは、飲食物または貨物を収容する運搬ボックス１４に取り付けられた画像表示パネル１０のそれらＬＥＤ素子２７を利用し、バイク１１Ｂを使用した飲食物や貨物の宅配中（走行中および停車中）に、所定の動画または静止画を運搬ボックス１４の後面２３（後壁１８）から後方に向かって表示するから、宅配業者が提供する商品やサービスの各種情報を宅配バイク１１Ｂを媒体として不特定多数のユーザーに伝えることができ、宅配中の宅配バイク１１Ｂを通じて各宅配業者が提供する商品やサービスを各ユーザーが知ることができる。
【００５６】
図６は、他の一例として示す宅配バイク１１Ｃの斜視図である。図６では、ＬＥＤディスプレイ２４に表示される画像の図示を省略している。この宅配バイク１１Ｃ（公道を走行する車両）が図１のそれと異なるところは、運搬ボックス１４が図１の宅配バイク１１Ａのそれよりも小さく、宅配バイク１１Ｃに設置されたルーフシールド１２のうちの運転席の後ろに位置するフレーム３４に画像表示パネル１０が取り付けられ、画像表示パネル１０が運搬ボックス１４（デリバリーボックス）に取り付けられていない点にあり、その他の構成は、図１の宅配バイク１１Ａと同一であるから、図１の説明を援用するとともに、図１と同一の符号を付すことで、この宅配バイク１１Ｃのその他の構成の詳細な説明は省略する。なお、フレーム３４に取り付けられた画像表示パネル１０は図１のそれと同一である。
【００５７】
画像表示パネル１０は、ルーフシールド１２のうちの運転席の後ろ（運転者の直後）に位置するフレーム３４に取り付けられ、宅配バイク１１Ｃの宅配中に所定の画像を動画または静止画として宅配バイク１１Ｃの後方に向かって表示する。画像表示パネル１０は、高輝度ＬＥＤディスプレイ２４（自発光型ディスプレイ）と、所定面積の支持プレート２５とから形成されている。ＬＥＤディスプレイ２４は、所定面積のフレキシブル基板２６と、複数のＬＥＤ素子２７（ＬＥＤチップ）と、電子制御モジュール（図示せず）とから形成されている。支持プレート２５やフレキシブル基板２６、ＬＥＤ素子２７、電子制御モジュールは、図１のそれらと同一である。それらＬＥＤ素子２７は、紫外線遮蔽フィルム３０に被覆されている。電子制御モジュールは、図１の画像表示パネル１０と同様のコントローラ（図示せず）に接続されている。
【００５８】
支持プレート２５は、その一方の面３２（裏面）の側がルーフシールド１２のフレーム３４（車両の所定の箇所）に当接した状態で、所定の固定手段（固定ボルトやフック等）によってルーフシールド１２のフレーム３４に設置・固定されている。宅配バイク１１Ｃの画像表示パネル１０に画像を表示させる手順は、宅配バイク１１Ａの運搬ボックス１４の両側面２１，２２（両側壁１９，２０）と後面２３（後壁１８）とに取り付けられた画像表示パネル１０のそれらと同一である。なお、運搬ボックス１４（デリバリーボックス）は、図１のそれよりも小さく、宅配バイク１１Ｃのリアキャリア１３（荷台）に据え付けられている。
【００５９】
宅配業者が提供する商品やサービスの各種情報を示すフルカラーの動画または宅配業者が提供する商品やサービスの各種情報を示すフルカラーの静止画である画像は、宅配バイク１１Ｃによる飲食物や貨物の宅配中（走行中および停車中）に、ルーフシールド１２のフレーム３４に取り付けられた画像表示パネル１０のＬＥＤディスプレイ２４から後方に向かって表示される。宅配バイク１１Ｃによる宅配中（走行中および停車中）において不特定多数のユーザーは、その宅配バイク１１Ｃによって宅配を行う宅配業者が提供する商品やサービスの各種情報をルーフシールド１２のフレーム３４に取り付けられた画像表示パネル１０を介して見ることができる。
【００６０】
画像表示パネル１０は、宅配バイク１１Ｃによる飲食物や貨物の宅配中（走行中および停車中）に、それらＬＥＤ素子２７を利用して所定の動画または静止画をルーフシールド１２のフレーム３４から後方に向かって表示するから、宅配業者が提供する商品やサービスの各種情報を宅配バイク１１Ｃを媒体として不特定多数のユーザーに伝えることができ、宅配中の宅配バイク１１Ｃを通じて各宅配業者が提供する商品やサービスを各ユーザーが知ることができる。
【００６１】
宅配バイク１１Ｃは、ルーフシールド１２のフレーム３４に取り付けられた画像表示パネル１０のそれらＬＥＤ素子２７を利用し、バイク１１Ｃを使用した飲食物や貨物の宅配中（走行中および停車中）に、所定の動画または静止画をルーフシールド１２のフレーム３４から後方に向かって表示するから、宅配業者が提供する商品やサービスの各種情報を宅配バイク１１Ｃを媒体として不特定多数のユーザーに伝えることができ、宅配中の宅配バイク１１Ｃを通じて各宅配業者が提供する商品やサービスを各ユーザーが知ることができる。
【００６２】
なお、同一の時間帯に飲食物の給仕宅配または貨物の集配送を複数台の宅配バイク１１Ａ，１１Ｂ，１１Ｃを使用して行い、それら宅配バイク１１Ａ，１１Ｂ，１１Ｃによる宅配中に、それら宅配バイク１１Ａ，１１Ｂ，１１Ｃに取り付けられた画像表示パネル１０によって管理コンピュータからコントローラが受信した同一内容の画像を略同時に表示することもできる。複数台の宅配バイク１１Ａ，１１Ｂ，１１Ｃによる同一の時間帯の宅配中に、それら宅配バイク１１Ａ，１１Ｂ，１１Ｃに取り付けられた画像表示パネル１０によってコントローラが受信した同一内容の画像を略同時に表示する場合は、宅配業者が提供する商品やサービスに関する同一内容の情報を複数台の宅配バイク１１Ａ，１１Ｂ，１１Ｃを媒体として不特定多数のユーザーに一度に伝えることができ、大きな宣伝効果を得ることができる。
【００６３】
図７は、一例として示す宅配車の斜視図である。図７では、ＬＥＤディスプレイ２４に表示される画像の図示を省略している。宅配車３９（公道を走行する車両）は、飲食物の給仕宅配を行う宅配業者または荷主の戸口から届け先の戸口まで貨物の集配送を行う宅配業者が保有（レンタルを含む）し、または、リース業者から宅配業者にリースされている。宅配車３９は、一人乗りの４輪車であり、エンジン（内燃機関）によって走行し、または、モーター（電動バイク）によって走行し、飲食物の配達に使用され、または、貨物（商品）の配達に使用される。
【００６４】
宅配車３９には、運転席を包被して雨天時の走行を可能にするルーフシールド４０（屋根）が取り付けられている。宅配車３９のリアキャリア１３（荷台）には、飲食物または貨物を収容する所定容積の運搬ボックス１４（デリバリーボックス）が据え付けられている。運搬ボックス１４（デリバリーボックス）は、頂壁１５および後壁１８と、両側壁１９，２０とを有し、その後壁１８が開閉可能な蓋（ハッチ）になっている。運搬ボックス１４には、画像表示パネル１０が取り付けられている。
【００６５】
画像表示パネル１０は、運搬ボックス１４の後面２３（後壁１８）に取り付けられ、宅配車３９の宅配中に所定の画像を動画または静止画として宅配車３９の外側（後方）に向かって表示する。画像表示パネル１０は、運搬ボックス１４の後面２３の上半分に取り付けられているが、後面２３の全域に取り付けられていてもよい。また、図２の宅配バイク１１Ａと同様に、画像表示パネル１０が運搬ボックス１４の一方の側面２１（側壁１９）と他方の側面２２（側壁２０）とに取り付けられていてもよい。
【００６６】
画像表示パネル１０は、高輝度ＬＥＤディスプレイ２４（自発光型ディスプレイ）と、所定面積の支持プレート２５とから形成されている。ＬＥＤディスプレイ２４は、所定面積のフレキシブル基板２６と、複数のＬＥＤ素子２７（ＬＥＤチップ）と、電子制御モジュール（図示せず）とから形成されている。支持プレート２５やフレキシブル基板２６、ＬＥＤ素子２７、電子制御モジュールは、図１のそれらと同一である。それらＬＥＤ素子２７は、紫外線遮蔽フィルム３０に被覆されている。電子制御モジュールは、図１の画像表示パネル１０と同様のコントローラ（図示せず）に接続されている。
【００６７】
コントローラは、宅配車３９の所定の箇所に設置されている。コントローラには、宅配車３９のルーフシールド４０に設置されたアンテナ（図示せず）が接続され、画像表示パネルＯＮ／ＯＦＦスイッチ（図示せず）が接続されているとともに、画像表示パネル１０に表示される画像を選択するタッチパネル（図示せず）が接続されている。画像表示パネルＯＮ／ＯＦＦスイッチやタッチパネルは、宅配車３９のダッシュボードに設置されている。ＬＥＤ素子２７や電子制御モジュール、コントローラ、タッチパネルは、宅配車３９のバッテリーを電源として駆動する場合、または、宅配車３９のバッテリーとは別に宅配車３９に搭載された専用電源によって駆動する場合がある。
【００６８】
宅配車３９によって飲食物を配達し、または、貨物（商品）を配達する場合、運搬ボックス１４（デリバリーボックス）の内部に飲食物や貨物（商品）を収容し、宅配車３９のメインスイッチをＯＮにしてエンジンを起動させ、または、モーターを起動させる。次に、画像表示パネルＯＮ／ＯＦＦスイッチをＯＮにして画像表示パネル１０（ＬＥＤ素子２７、電子制御モジュール、コントローラ、タッチパネル）を起動させる。宅配車３９の画像表示パネル１０に画像を表示させる手順は、宅配バイク１１Ａの運搬ボックス１４の両側面２１，２２（両側壁１９，２０）と後面２３（後壁１８）とに取り付けられた画像表示パネル１０のそれらと同一である。
【００６９】
宅配業者が提供する商品やサービスの各種情報を示すフルカラーの動画または宅配業者が提供する商品やサービスの各種情報を示すフルカラーの静止画である画像は、宅配車３９による飲食物や貨物の宅配中（走行中および停車中）に、運搬ボックス１４の後面２３（後壁１８）に取り付けられた画像表示パネル１０のＬＥＤディスプレイ２４から後面２３の後方に向かって表示される。宅配車３９による宅配中（走行中および停車中）において不特定多数のユーザーは、その宅配車３９によって宅配を行う宅配業者が提供する商品やサービスの各種情報を運搬ボックス１４の後面２３（後壁１８）に取り付けられた画像表示パネル１０を介して見ることができる。
【００７０】
画像表示パネル１０は、宅配車３９による飲食物や貨物の宅配中（走行中および停車中）に、それらＬＥＤ素子２７を利用して所定の動画または静止画を運搬ボックス１４の後面２３（後壁１８）から後方に向かって表示するから、宅配業者が提供する商品やサービスの各種情報を宅配車３９を媒体として不特定多数のユーザーに伝えることができ、宅配中の宅配車３９を通じて各宅配業者が提供する商品やサービスを各ユーザーが知ることができる。
【００７１】
画像表示パネル１０は、それを運搬ボックス１４に取り付けた宅配車３９を利用して各種商品や各種サービスを伝達することができるから、宅配車３９の運搬ボックス１４に取り付ける宣伝用パネル板として使用することができ、商品やサービスの各種情報を伝える伝達媒体として利用することができる。画像が管理コンピュータからアンテナに送信され、コントローラから電子制御モジュールに送信された画像を画像表示パネル１０のＬＥＤディスプレイ２４に表示する場合は、宅配業者が提供する商品やサービスの各種情報を伝達する所定の画像をタイムリーに表示することができ、宅配業者が提供を希望する商品やサービスをユーザーに確実に伝えることができる。
【００７２】
宅配車３９は、飲食物または貨物を収容する運搬ボックス１４に取り付けられた画像表示パネル１０のそれらＬＥＤ素子２７を利用し、宅配車３９を使用した飲食物や貨物の宅配中（走行中および停車中）に、所定の動画または静止画を運搬ボックス１４の後面２３（後壁１８）から後方に向かって表示するから、宅配業者が提供する商品やサービスの各種情報を宅配車３９を媒体として不特定多数のユーザーに伝えることができ、宅配中の宅配車３９を通じて各宅配業者が提供する商品やサービスを各ユーザーが知ることができる。宅配車３９は、運搬ボックス１４に取り付けられた画像表示パネル１０を利用して各種商品や各種サービスを伝達することができるから、宅配車３９を宅配業者が提供する商品やサービスの各種情報を伝える伝達媒体として利用することができる。
【符号の説明】
【００７３】
１０    画像表示パネル
１１Ａ  宅配バイク
１１Ｂ  宅配バイク
１１Ｃ  宅配バイク
１２    ルーフシールド
１３    リアキャリア
１４    運搬ボックス（デリバリーボックス）
１５    頂壁
１６    底壁
１７    前壁
１８    後壁
１９    側壁
２０    側壁
２１    一方の側面
２２    他方の側面
２３    後面
２４    ＬＥＤディスプレイ
２５    支持プレート
２６    フレキシブル基板
２７    ＬＥＤ素子（ＬＥＤチップ）
２８    一方の面
２９    他方の面
３０    紫外線遮蔽フィルム
３１    フレーム
３２    一方の面
３３    他方の面
３４    フレーム
３５    上端部
３６    下端部
３７    両側部
３８    上端部
３９    宅配車
４０    ルーフシールド
【図１】
2018155824.tif 000003
【図２】
2018155824.tif 000004
【図３】
2018155824.tif 000005
【図４】
2018155824.tif 000006
【図５】
2018155824.tif 000007
【図６】
2018155824.tif 000008
【図７】
2018155824.tif 000009